(57)【要約】【課題】本発明は、液状の化粧品を収容するための化粧品容器に係り、特に、リップグロスのような流動性ある液状の化粧品を必要な量だけ排出させる化粧品容器に関する。【解決手段】本発明の化粧品容器は、容器外部に形成されたボタンを押すことによって容器内部の作動部材がピストンを上昇させ、容器の内部に収容されている液状の化粧品が一定量ずつ排出されるため、使い勝手がよく、かつ、ボタン式構造によって片手でも使用可能である。【選択図】図１
2007511272.tif 000002
【特許請求の範囲】
【請求項１】
外周面に突出形成されたプッシュボタン（４，４ａ）を有する容器ボディー（１）と、
前記容器ボディー（１）に結合されて液状の化粧品を収容するシリンダー（１１）と、
前記シリンダー（１１）に結合され、上面（２４）に多数の噴出穴（２５）が形成された噴出部材（２）と、
前記シリンダー（１１）の横断面と同じ形態及び大きさに形成され、上記シリンダー（１１）の内周面に沿って上昇して液状の化粧品を加圧するピストン（３）と、
前記容器ボディー（１）の内部に収納され、前記プッシュボタン（４，４ａ）のプッシュ動作に応じて前記ピストン（３）を垂直上昇させ、前記噴出部材（２）に液状の化粧品が噴出されるように作動する作動部材（６，６ａ）とを備えてなることを特徴とする化粧品容器。
【請求項２】
前記シリンダー（１１）の外周面に着脱自在に結合されて前記噴出部材（２）を密閉させる蓋（７）をさらに備え、
前記プッシュボタン（４，４ａ）は、容器ボディー（１）の外周面に突出形成され、前記蓋（７）がシリンダー（１１）の外周面に結合する際に、前記プッシュボタン（４，４ａ）の固定溝（４５，４５ａ）に前記蓋（７）の一端が結合されることによって、前記プッシュボタン（４，４ａ）が固定されることを特徴とする請求項１に記載の化粧品容器。
【請求項３】
前記噴出部材（２）の上面（２４）は、前記シリンダー（１１）の横断面に対して傾斜するように形成されたことを特徴とする請求項１に記載の化粧品容器。
【請求項４】
前記噴出部材（２）の上面（２４）を覆うようにスポンジ類の吸収部材（８）をさらに備えてなることを特徴とする請求項１に記載の化粧品容器。
【請求項５】
前記作動部材（６）は、前記プッシュボタン（４）のプッシュ動作に応じて回動するナットプレート（７０）と、前記ナットプレート（７０）とねじ結合されて前記ナットプレート（７０）の回転に応じて上昇運動するスクリューバー（６０）とを備え、
前記スクリューバー（６０）と結合された前記ピストン（３）は、前記スクリューバー（６０）の上昇運動に応じて上昇することを特徴とする請求項１に記載の化粧品容器。
【請求項６】
前記作動部材（６ａ）は、前記プッシュボタン（４ａ）のプッシュ動作に応じて垂直上昇するカム（７０ａ）と、
該カム（７０ａ）と凹凸結合され、前記カム（７０ａ）が上昇する位置分だけ共に上昇するスクリューバー（６０ａ）とを備え、
前記スクリューバー（６０ａ）と結合された前記ピストン（３）は、前記スクリューバー（６０ａ）の上昇に応じて上昇することを特徴とする請求項１に記載の化粧品容器。
【請求項７】
前記プッシュボタン（４ａ）は、容器ボディー（１）の貫通穴（１５）を通って外側に突出されたボタン部（４１ａ）と、前記ボタン部（４１ａ）の一側に延在して容器ボディー（１）の内側に固定される移動部（４６ａ）とからなり、
前記移動部（４６ａ）の両側壁（４７ａ）には、作動部材（６ａ）を作動させるために高さ差を有するガイドレール（４８ａ）が形成され、前記側壁（４７ａ）の先端には、プッシュボタン（４ａ）が水平往復運動するように弾性部材（９０ａ）が結合される結合溝（４９ａ）が形成され、
前記カム（７０ａ）は、プッシュボタン（４ａ）のガイドレール（４８ａ）に挿入され、該ガイドレール（４８ａ）の水平移動に応じて垂直上昇し、
前記カム（７０ａ）の垂直上昇に応じてスクリューバー（６０ａ）が垂直上昇することを特徴とする請求項６に記載の化粧品容器。
【請求項８】
前記作動部材（６ａ）は、前記カム（７０ａ）の下部に配置され、前記スクリューバー（６０ａ）とラチェット方式で結合されてスクリューバー（６０ａ）の垂直上昇を支持する支持部材（８０ａ）を備えてなることを特徴とする請求項６に記載の化粧品容器。
【発明の詳細な説明】
【技術分野】
【０００１】
本発明は、液状の化粧品を収容するための化粧品容器に係り、特に、容器の外部に形成されたボタンを押すと容器内部の作動部材がピストンを上昇させ、容器の内部に収容された液状の化粧品が一定量ずつ排出されるようにし、使い勝手が良く、かつ、このようなボタン式構造によって片手で使用可能な、リップグロスのような流動性ある液状の化粧品を必要な量だけ排出できる化粧品容器に関する。
【背景技術】
【０００２】
一般に、リップグロスとは流動性を持つ液状の化粧品であって、唇の荒れを防止しながら望む唇の色と輝きが保たれるようにし、また、唇の健康と美容効果を得るために用いられている。
【０００３】
かかるリップグロスを収容する化粧品容器は、図１１に示すように、取っ手と一体構成されるか、取っ手と相互結合してなる円筒形のロッドと、該ロッドの下部に挿入固定されたブラシとからなる化粧用ブラシ部と、リップグロス液が収容される容器本体と、からなる。
【０００４】
ここで、前記容器は、リップグロス液の最小部位のみが外部空気に晒されるようにする入り口を有し、前記ロッドは、前記容器に挿入されたときに、ロッドに挿入固定されたブラシの下端面が容器の底面に接するように長く形成され、また、前記容器の入り口から出入可能な直径を有するように構成される。したがって、前記ロッドの反復的な昇降動作によって前記ブラシにリップグロス液がつくと、その化粧用ブラシ部を容器から引き出し望む身体部位にリップグロス液を塗る方式で用いられてきた。
【０００５】
しかしながら、このような従来の化粧品容器は、ブラシが固定されているブラシ部を容器本体から引き出して使用するもので、もし、容器本体にリップグロス液が多量収容されていると、ブラシだけでなく、ロッドにもリップグロス液が過度についてしまい、唇とその周囲の肌にもリップグロス液が塗られるという問題点があった。
【０００６】
また、リップグロス液を使用する度にリップグロス液をブラシにつけなければならず、随時に容器からブラシ部が分離または結合されることになるが、このときに、ブラシ外側の毛が容器の入り口と随時接触し、これら毛が外側に反るとか、捩じれるとか、抜けるとかの問題があった。しかも、ブラシ部の毛が大気中に長時間露出されると直ぐに硬化し、ブラシ部の硬化による使い勝手性の低下を招くなどの問題点があった。
【０００７】
上記の問題点を解決するために、大韓民国公開特許公報第２００３−００１５５３９号（出願番号第２００１−００４９３１３号）では、図１２に示すように、リップスチック液を収容する容器ボディー１１０と、該ボディー１１０の上部に回転可能に結合されたチップ１２０及び蓋１３０と、チップ１２０の回転に連動して昇降出没するブラシボディー１４０と、容器ボディー１１０の底部に結合されて回転する下部ノブ１５０と、この下部ノブ１５０の回転に連動する内側スクリュー１６０と、この内側スクリュー１６０で昇降する上端にピストン１７１を備えたスクリューバー１７０と、ピストン１７１の導きによって、ボディー１１０内の液がブラシボディー１４０のブラシ下端の近傍に位置するように貫通設置された管１８０と、からなる“液型リップペンシルの容器”が提案された。
【０００８】
ここで、下部ノブ１５０の周縁突起１１３は、容器ボディー１１０の下部の周縁溝に回転可能に結合され、よって、下部ノブ１５０が回転すると、下部ノブ上周縁の突起１５４が、内側スクリュー１６０の突起１６４を乗り越えながらクリック音を発生させると同時に、下部ノブ１５０の雌ねじ部１５２がスクリューバー１７０のねじ部を回転させて所定ピッチだけ移動させる。続いて、スクリューバー１７０の上端に結合されたピストン１７１が、容器ボディー１１０に収容された液１００を強く押すことによって、液状のリップスチックは管１８０に沿ってブラシに吸収される。これにより、液状のリップスチックが容器内で密閉保管され、下部ノブ１５０の回転に応じて徐々に出るようになる。
【０００９】
しかしながら、上記の液型リップペンシルの容器を使って化粧するためには、まず、一方の手で容器ボディー１１０を把持した後に、他の手で下部ノブ１５０を把持して回転させなければならない。すなわち、両手を全部使用しなければならないため、携帯用鏡などを見ながら化粧をするときに不便だった。
【００１０】
また、液型リップペンシルの容器を使用しないときには蓋１３０を結合状態にしておくが、この蓋１３０が容器ボディーに結合された状態でも、下部ノブ１５０は回転可能なため、液が噴出する恐れがあり、よって、容器が入っているかばん内に液がつくという問題があった。
【００１１】
さらに、上記液型リップペンシルの容器は、所定長さの多数の毛からなるブラシを有するため、毛の全体長さにわたってリップスチック液をつけなければならず、多量のリップスチック液が消耗されるだけでなく、リップスチック液が速く乾燥されてしまうという問題もあった。
【００１２】
さらには、上記液型リップペンスルの容器は、液を噴出させるための下部ノブ１５０の結合構造及びブラシボディー１４０を容器ボディー１１０の外部に上昇させるための結合構造によって、製作工程が複雑となる。また、このような構造を有する大部分の液状化粧品容器は、美観上長くて薄く形成されるため、容器ボディー１１０の内部に液状化粧品を約１．５〜２．０ｍｌしか収容できないという問題点があった。
【００１３】
【特許文献１】大韓民国公開特許第２００３−００１５５３９号公報
【発明の開示】
【発明が解決しようとする課題】
【００１４】
本発明は上記のような従来問題点を解決するのもので、その目的は、シリンダーの外周面に形成されたボタンを押すと、容器ボディー内部の作動部材が作動しピストンが上昇することによって、前記シリンダーに収容された化粧品が排出される構造となっているため、使い勝手が簡便であり、また、このようなボタン式構造によって一方の手で化粧品容器を把持した状態で化粧品溶液を排出可能な構造を有するので、片手でも迅速で簡便に化粧ができる化粧品容器を提供することにある。
【００１５】
本発明の他の目的は、容器ボディーに蓋が結合されるとボターンが作動しないロック機能を有する化粧品容器を提供することにある。
【００１６】
本発明のさらに他の目的は、液状化粧品が噴出される噴出部材の形態を一般的なリップスチック形態に形成することによって、使い勝手性をより向上させた化粧品容器を提供することにある。
【００１７】
本発明のさらに他の目的は、液状化粧品を収容する多孔性の吸収部材を前記噴出部材にはめ込むことによって、液状化粧品をより容易に肌に塗ることができる化粧品容器を提供することにある。
【００１８】
本発明のさらに他の目的は、液状化粧品を噴出させるための内部構造を簡単に形成することによって、多量の液状化粧品を収容することができる化粧品容器を提供することにある。
【課題を解決するための手段】
【００１９】
本発明の目的は、外周面に突出形成されたプッシュボタンを有する容器ボディーと、前記容器ボディーに結合されて液状の化粧品を収容するシリンダーと、前記シリンダーに結合され、上面に多数の噴出穴が形成された噴出部材と、前記シリンダーの横断面と同じ形態及び大きさに形成され、上記シリンダーの内周面に沿って上昇して液状の化粧品を加圧するピストンと、前記容器ボディーの内部に収納され、前記プッシュボタンのプッシュ動作に応じて前記ピストンを垂直上昇させ、前記噴出部材に液状の化粧品が噴出されるように作動する作動部材と、を備えてなることを特徴とする化粧品容器によって達成される。
【００２０】
また、前記シリンダーの外周面に着脱自在に結合されて前記噴出部材を密閉させる蓋をさらに備え、前記プッシュボタンは、容器ボディーの外周面に突出形成され、前記蓋がシリンダーの外周面に結合する際に、前記プッシュボタンの固定溝に前記蓋の一端が結合されることによって、前記プッシュボタンが固定されることを特徴とする化粧品容器によって達成される。
【００２１】
また、前記噴出部材の上面は、前記シリンダーの横断面に対して傾斜するように形成されたことを特徴とする化粧品容器によって達成される。
【００２２】
また、前記噴出部材の上面を覆うようにスポンジ類の吸収部材をさらに備えてなることを特徴とする化粧品容器によって達成される。
【００２３】
また、前記作動部材は、前記プッシュボタンのプッシュ動作に応じて回動するナットプレートと、前記ナットプレートとねじ結合されて前記ナットプレートの回転に応じて上昇運動するスクリューバーと、を備え、前記スクリューバーと結合された前記ピストンは、前記スクリューバーの上昇運動に応じて上昇することを特徴とする化粧品容器によって達成される。
【００２４】
また、前記作動部材は、前記プッシュボタンのプッシュ動作に応じて垂直上昇するカムと、該カムと凹凸結合され、前記カムが上昇する位置分だけ共に上昇するスクリューバーと、を備え、前記スクリューバーと結合された前記ピストンは、前記スクリューバーの上昇に応じて上昇することを特徴とする化粧品容器によって達成される。
【００２５】
また、前記プッシュボタンは、容器ボディーの貫通穴を通って外側に突出されたボタン部と、前記ボタン部の一側に延在して容器ボディーの内側に固定される移動部と、からなり、前記移動部の両側壁には、作動部材を作動させるために高さ差を有するガイドレールが形成され、前記側壁の先端には、プッシュボタンが水平往復運動するように弾性部材が結合される結合溝が形成され、前記カムは、プッシュボタンのガイドレールに挿入され、該ガイドレールの水平移動に応じて垂直上昇し、前記カムの垂直上昇に応じてスクリューバーが垂直上昇することを特徴とする化粧品容器によって達成される。
【００２６】
また、前記作動部材は、前記カムの下部に配置され、前記スクリューバーとラチェット方式で結合されてスクリューバーの垂直上昇を支持する支持部材を備えてなることを特徴とする化粧品容器によって達成される。
【発明の効果】
【００２７】
本発明に係る化粧品容器は、容器ボディーの外部に突出したプッシュボタンと、該プッシュボタンの押圧によって作動する作動部材と、該作動部材によって垂直上昇するピストンと、液状の化粧品が噴出されるようにシリンダーに結合された噴出部材とからなり、使用者がプッシュボタンを押すと、シリンダーの内部に収容された液状の化粧品が所定量ずつ噴出されるので使い勝手が便利で、かつ、使用者が一方の手で容器ボディーを把持した状態で、該容器ボディーを把持した手の指で前記プッシュボタンが押せるので、使用者は片手のみで化粧ができ、使い勝手性をより向上させることが可能になる。
【００２８】
また、前記シリンダーの外側に突出したプッシュボタンには、固定溝が形成されており、前記シリンダーに蓋を結合させると、該蓋がプッシュボタンの固定溝に結合されて前記プッシュボタンが固定される構造を有するので、化粧を終えた後に前記シリンダーに蓋を結合させておくと、該蓋がロック装置として働き、液状の化粧品が外に漏れるのを防止することが可能になる。
【００２９】
また、液状の化粧品が外部に噴出される噴出部材の上面形態が、一般の固形リップスチックの上面と同じ形態の傾斜面を有するので、液状の化粧品をより容易に肌に塗ることができる化粧品容器が提供可能である。
【００３０】
また、前記噴出部材の上面には、優れた吸収力及びやわらかい材質の吸収部材が結合され液状の化粧品が吸収部材に吸収されるので、液状の化粧品を肌により効果的に塗ることができ、かつ、肌への触れ心地が良い化粧品容器を提供できる。
【００３１】
また、シリンダー及び蓋は、固形のリップスチック容器と類似な大きさ及び形態とされ、広い内部空間を有するので、前記ボディーのシリンダー内部に多量の液状の化粧品を収容できる化粧品容器が提供可能である。
【発明を実施するための最良の形態】
【００３２】
以下、上記目的を具体的に実施できる本発明に係る化粧品容器を、添付の図面を参照して説明する。ただし、下記の実施例では、本発明に係る液状の化粧品をリップグロスとする。
【００３３】
図１は、本発明に係る化粧品容器の第１実施例を示す斜視図であり、図２は、図１に示す実施例による構成要素を分解して示す斜視図である。本実施例による化粧品容器において、噴出部材２、ピストン３、プッシュボタン４、作動部材６、下部キャップ５は容器ボディー１に収納され、リップグロス液９（図３及び図４参照）は、容器ボディー１と結合されたシリンダー１１内に収容される。ここで、容器ボディー１とシリンダー１１は一体に形成されるが、容器ボディー１には作動要素が収納され、シリンダー１１にはリップグロス９が収容されるので、使用特性上分離して説明するものとする。
【００３４】
容器ボディー１は、リップグロス液９を噴出させるための作動要素が収納される空間であって、容器ボディー１の上部には、リップグロス液９を収容する円筒形のシリンダー１１が結合され、シリンダー１１の下部である容器ボディー１の内部には、リップグロス液９を上部に押し出すための構成要素が組み込まれる。ここで、シリンダー１１の外周面は容器ボディー１の外周面よりも小さい直径を有するので、シリンダー１１と容器ボディー１の結合部位には段差部１６が形成される。
【００３５】
シリンダー１１は、リップグロス液９が収容される空間であって、シリンダー１１の周縁１２の内側には、リップグロス液９が噴出される流出通路であるネック部１３が形成されており、ネック部１３は、周縁１２よりも小径で形成されている。このため、周縁１２とネック部１３との間には、所定幅と深さを有する結合溝１４が形成され、ここに後述される噴出部材２が結合されるようになる。また、容器ボディー１の下部には、後述される作動部材６及び下部キャップ５が結合されるように開放穴１７が形成されている。
【００３６】
そして、シリンダー１１の一側には所定大きさを有する貫通穴１５が形成され、この貫通穴１５に、後述されるプッシュボタン４のボタン部４１が結合されて作動するようになる。具体的には、貫通穴１５は、段差部１６が形成された容器ボディー１の一側に形成されている。
【００３７】
蓋７の内周面の直径は、シリンダー１１の外周面と同じ直径を有するように形成され、容器ボディー１の上部から嵌められながらシリンダー１１と容器ボディー１の境界となる段差部１６に引っかかり、シリンダー１１と一体形の構造をなすようになる。
【００３８】
噴出部材２は、シリンダー１１に収容されたリップグロス液９をネック部１３から外部に排出させる手段であって、ネック部１３と連通するように下部が開放され、上面２４には多数個の噴出穴２５が形成され、その外周面の周りにはシリンダー１１の周縁１２に着座するようにフランジ２１が突出形成され、シリンダー１１の結合溝１４にはめ込まれて固定結合されるようにフランジ２１の下部には、結合溝１４の厚さ及び長さに対応する結合部２２が延設されている。
【００３９】
また、フランジ２１の内側には、上面２４から下部に延びる噴出部材２の外周面につながる凹溝２３が形成され、よって、スポンジなどの吸水性に優れた多孔性の吸水部材８（図６参照）を上面２４に被せてその末端を凹溝２３にはめ込むことができる。
【００４０】
好ましくは、上面２４は、固形のリップスチック形態に似た傾斜した形態にしても良く、扁平な円形にしても良く、上面２４の中央を中心に先細になる形態にしても良い。
【００４１】
ピストン３は、シリンダー１１の内部に収容してあるリップグロス液９を噴出部材２に押し出すための手段であって、所定の厚さをを有する円板形態にし、また、リップグロス液９が下部から漏れるのを防止するためにシリンダー１１の内周横断面と同じ形態及び大きさを有するようにする。また、ピストン３の下部面中央には、ピストン３を上昇させるための作動部材６のスクリューバー６０が結合される結合溝３１が形成されている。また、ピストン３の素材としてはシリコンまたは弾性の合成樹脂が使用され、このような材質の特性から、ピストン３がシリンダーシリンダー１１の内部に結合される際にシリンダー１１の内周面に強制にはめ込まれシリンダー１１の内部を完全密閉状態にするため、リップグロス液９がシリンダー１１の下部に漏れるのを防止でき、かつ、上記の材質の特性上、外部の圧力が加えられるとリップグロス液９を押し上げながら上昇することができる。
プッシュボタン４は、外部の力を作動部材６に伝達してピストン３を上昇させる手段であって、シリンダー１１の貫通孔１５から装着されて外部の力を内部に伝達するボタン部４１と、シリンダー１１の内周面に取り付けられ、ボタン部４１と結合して作動部材６のナットプレート７０を回転させる稼動部４６と、からなる。
【００４２】
ボタン部４１は、使用者が押せるような所定の大きさに形成された押し部４２と、押し部４２の下端から後方に水平延長された連結部４３と、連結部４３の末端から上部に垂直延長された結合部４４とからなり、この結合部４４は稼動部４６に固定結合され、連結部４３の下部面は貫通穴１５の下面に着座されることで、押し部４２は前後に作動可能になる。ここで、押し部４２は、貫通孔１５において前後移動自在なように貫通孔１５よりも小さい大きさに形成され、結合部４４は離脱しないように貫通孔１５よりも大きい大きさに形成される。
【００４３】
稼動部４６は、容器ボディー１の内周面を包んでから若干の余裕長さを有するように、容器ボディー１の円周長よりも大きい周長を有し、稼動部４６の弾性突起４８は、作動部材６のナットプレート７０に形成された歯７３同士間に挟み込まれるように所定の長さ及び厚さを有する扁平な面形態にする。このように形成された稼動部４６を、容器ボディー１の内周面に接着される接着面４７と、ボタン部４１と結合される非接着面４７’と、弾性突起４８とに区分して説明すると、下記の通りである。
【００４４】
接着面４７が容器ボディー１の貫通孔１５の部分を除く残りの内周面によって囲まれるように固定付着されると、接着面４７から延在する非接着面４７’が貫通穴１５に位置しながら貫通穴１５から容器ボディー１の内部に挿入されたボタン部４１の結合部４４と接着されて一体となり、非接着面４７’から延在する弾性突起４８は内側に湾曲された形態を有するので、弾性突起４８は作動部材６の歯７３に接触した状態となる。
【００４５】
したがって、ボタン部４１に外部の力が加えられると、ボタン部４１の連結部４３が貫通穴１５の内側に押し付けられると同時に、ボタン部の結合部４４と結合されている稼動部４６の非接着面４７’が内側後方に位置移動しながら非接着面４７’から延在する弾性突起４８が作動部材６の歯７３を押し、これによって、歯７３が回転し位置移動するようになる。以降、外部の力が除去されると、ボタン部４１が元の位置に戻り、稼動部４６もその弾性によって元の位置に戻り、よって、弾性突起４８は、歯７３と隣接する他の歯に接触した状態となる。
【００４６】
ここでは、ボタン部４１と稼動部４６が別に形成された形態を例示したが、一体形成したものにして良い。
【００４７】
また、プッシュボタン４のボタン部４１が容器ボディー１に設置された状態で、蓋７を容器ボディー１に結合させると、蓋７が容器ボディー１の外周面に沿ってスライドしつつ下降し、貫通穴１５に設置されたボタン部４１の連結部４３に着座されるが、すなわち、容器ボディー１には、貫通穴１５からボタン部４１の結合部４４が容器ボディー１の内周面に配置されており、ボタン４１の押し部４２は、容器ボディー１の外側に位置しており、結合部４４と押し部４１とを連結する連結部４３は、貫通穴１５の下面に着座された状態であるので、蓋７の下端は、連結部４３の固定溝４５に着座しながら容器ボディー１に結合されるのである。したがって、プッシュボタン４は、蓋７によって、動作できない固定状態となる。
【００４８】
作動部材６は、プッシュボタン４の動作によって回転してピストン３を上昇させる手段であって、プッシュボタン４の弾性突起４８によって回動するナットプレート７０と、ナットプレート７０とねじ結合されて垂直上昇運動しつつピストン３を上昇させるスクリューバー６０と、ナットプレート７０が所定ピッチで一方向にのみ回転するようにラチェット方式で結合される弾支リング８０と、弾支リング８０がナットプレート７０と接触した状態が保たれるように支持する弾性部材９０と、からなる。
【００４９】
スクリューバー６０は、長い棒状に形成され、また、その外周面にはねじ山６１が形成され、ナットプレート７０の中央穴７４に形成されたねじ谷７５とねじ結合されるように構成される。また、スクリューバー６０は、その上端が、ピストン３の結合溝３１に固定結合され、その外周面には、垂直方向に長さ全体にわたって所定の深さを有するガイド溝６２が少なくとも１つ以上形成されている。
【００５０】
ナットプレート７０のディスク７１は、容器ボディー１の下部で回動するように容器ボディー１の内周面よりも小さい直径にで形成されるが、ここで、ディスク７１の直径は、容器ボディー１に固定された稼動部４６に係止されて上昇しないような大きさを有する。そして、ディスク７１の中央から上部に突出形成されたギア軸７２は、稼動部４６の弾性突起４８が接触するように所定の長さで突出形成され、ギア軸７２の外周面全体には、弾性突起４８の厚さに対応する歯７３が垂直方向に形成されている。
【００５１】
そして、ナットプレート７０の中央、すなわち、ディスク７１とギア軸７２の中央にはスクリューバー６０が挿通するように垂直方向にナットプレート７０を貫通する中央穴７４が形成されるが、この中央穴７４の内周面は、スクリューバー６０の外周面に形成されたねじ山６１に対応するねじ谷７５が刻まれている。したがって、ナットプレート７０の中央穴７４内にスクリューバー６０が挿入された後にナットプレート７０が回転すると、スクリューバー６０は、中央穴７４に形成されたねじ谷７５に沿って垂直上昇するようになる。
【００５２】
また、ディスク７１の下部面には、中央穴７４を中心に放射方向に多数個のラチェット歯７６が一定の間隔で形成されている。ラチェット歯７６は、直三角形の鋸歯の形態を有するので、ナットプレート７０は、一方向にのみ回転するようになる。そして、ラチェット歯７６は所定のピッチに該当する間隔で形成されているので、ディスク７１と後述される弾支リング８０が組み立てられた状態でナットプレート７０が回転すると、スクリューバー６０が上昇するようになる（図３及び図４に示す作動状態を参照されたい）。
【００５３】
弾支リング８０は、上下部が開放された円筒形に形成され、ナットプレート７０のディスク７１の下部に挿入されラチェット方式で結合されるように、ディスク７１よりもやや小さい直径を有する。すなわち、弾支リング８０の上部面にはナットプレート７０のラチェット歯７６に対応する爪８１が少なくとも１個以上形成され、よって、弾支リング８０がナットプレート７０のディスク７１の下部に挿入された状態でナットプレート７０が回動すると、ラチェット歯７６と爪８１の対応する構造によってナットプレート７０は一方向にのみ回転する。また、弾支リング８０の外周面垂直方向には外側に突出した突起８２が少なくとも１個以上形成され、弾支リング８０が下部キャップ５の装着溝５５に挿入される際に、弾支リング８０の突起８２が下部キャップ５の円柱５６の内周面に形成された支持溝５７にはめ込まれ弾支リング８０は固定した状態となるので、ナットプレート７０の回転に連動しなくなる。
【００５４】
弾性部材９０は、弾性力に優れたバネからなって弾支リング８０とナットプレート７０の下部を支持する手段であって、下部キャップ５の装着溝５５にはめ込まれてその上部に着座する弾支リング８０とラチェット方式で結合されたナットプレート７０が、定位置で容易に回転されるように弾支リング８０の下部に弾性力を与える。
【００５５】
下部キャップ５は、下部に開放穴１７が形成された容器ボディー１を密閉する底面５１と、底面５１が開放穴１７を介して容器ボディー１に結合されるように上方に延長形成された円柱５６と、作動部材６のスクリューバー６０が垂直上昇するように支持するために底面５１の中央において上方に突出形成されたスプライン５２と、からなり、円柱５６とスプライン５２との間には、弾支リング８０及び弾性部材９０がはめ込まれる装着溝５５が形成される。ここで、円柱５６及びスプライン５２の垂直長さは、装着溝５５に弾性部材９０及び弾支リング８０が結合されたときにこれらが完全に収容されるような長さにする。
【００５６】
そして、円柱５６の内周面には、垂直方向に少なくとも１個以上の支持溝５７が形成され、弾支リング８０が装着溝５５に挿入される際に、弾支リング８０に形成された突起８２が支持溝５７にはめ込まれ、よって、弾支リング８０は弾性部材９０によって垂直運動はできるが、回転運動はできなくなる。スプライン５２は、内部にスクリューバー６０が差し込まれるように内部溝５３が形成され、内部溝５３の内周面には、スクリューバー６０に形成されたガイド溝６２に対応するように垂直方向に長さ全体にわたって突出した少なくとも１個以上のガイド突起５４が形成され、よって、スクリューバー６０がスプライン５２の内部溝５３に挿入されるときに、スクリューバー６０のガイド溝６２にスプライン５２のガイド突起５４がはめ込まれるため、結果としてスクリューバー６０は、垂直上昇はできるが、回転運動はできなくなる。
【００５７】
要するに、本発明の第１実施例による化粧品容器において、シリンダー１１の上部に噴出部材２が結合されており、シリンダー１１と結合された容器ボディー１の内部には、スクリューバー６０が固定されたピストン３が設置されており、容器ボディー１の貫通穴１５を基準にして内部には稼動部４６が、外部にはボタン部４１が設置されており、稼動部４６の下部にはナットプレート７０が回動自在に設置されるが、ナットプレート７０のギア軸７２には稼動部４６の弾性突起４８が接触している状態であり、ナットプレート７０の中央穴７４にはスクリューバー６０がねじ結合された状態であり、ナットプレート７０の下部には弾支リング８０及び弾性部材９０が順次組み立てられるが、このときに、弾支リング８０及び弾性部材９０は、下部キャップ５に形成された装着溝５５内に装着され、ナットプレート７０の中央穴７４内に挿入されたスクリューバー６０も、下部キャップ５に形成されたスプライン５２の内部溝５３に差し込まれ、下部キャップ５は容器ボディー１の開放穴１７に圧入される。
【００５８】
以下、上記のような構造を有する本発明による化粧品容器の作動原理を、図３及び図４を参照して説明する。ここで、化粧品容器のシリンダー１１に設置されたピストン３の上部にはリップグロス液９が収容されている状態である。ちなみに、下記の説明では、本発明による化粧品容器のプッシュボタン４を押圧する前に、プッシュボタン４の弾性突起４８が接触しているナットプレート７０の歯７３を‘Ａ’とし、化粧品容器のプッシュボタン４の押圧力を除去した後にプッシュボタン４の弾性突起４８が接触する歯７３を‘Ｂ’とする。
【００５９】
まず、使用者が片手で容器ボディー１を把持した状態で、シリンダー１１の一側に突出しているボタン部４１の押し部４２に押すと、押し部４２と連結された連結部４３が容器ボディー１の貫通穴１５を通って内部に押し込まれ、連結部４３から延びて貫通穴１５の内側において稼動部４６の非接触面４７と結合されている結合部４３は、非接触面４７’とともにシリンダー１１の内部に向かって位置移動する。稼動部４６の非接触面４７’の水平移動によって作動部材６のナットプレート７０のギア軸７２に接触した稼動部４６の弾性突起４８は、既に接触していたギア軸７２の歯７３（Ａ）を押し、その力によってギア軸７２は回転する。以降、ボタン部４１に加えられていた圧力が除去されると、ボタン部４１は稼動部４６の非接着面４７’の弾性力によって元の位置に戻り、弾性突起４８はギア軸７２の回転によって位置移動した歯７３（Ｂ）に接触するようになる。ここで、ナットプレート７０の中央穴７４の内部にはめ込まれてねじ結合されているスクリューバー６０は、ナットプレート７０が回動するにつれて中央穴７４のねじ谷７５に沿って垂直上昇し、スクリューバー６０の上端と固定結合しているピストン３はリップグロス液９を上部に押し上げ、これによって、リップグロス液９は、シリンダー１１のネック部１３を通って噴出部材２の噴出穴２５からその上面２４に排出される。
【００６０】
ここで、ナットプレート７０のディスク７１の下部には所定のピッチでラチェット歯７６が形成され、ディスク７１の下部を支持する弾支リング８０の上端には爪８１が形成されているので、ナットプレート７０と弾支リング８０はラチェット方式で結合された構造を有し、弾支リング８０は、弾性部材９０によってその下部が支持されているので、ナットプレート７０は、円柱５６と結合固定された状態の弾支リング８０によって、所定のピッチで回転しスクリューバー６０を一定の間隔で上昇させるようになる。また、スクリューバー６０は、下部キャップ５のスプライン５２に形成された内部５３に挿入された状態、すなわち、スクリューバー６０のガイド溝６２に内部溝５３のガイド突起５４がはめ込まれた状態であるので、スクリューバー６０は回転することなく上昇可能になる。
【００６１】
リップグロス液９の使用した後には、図５に示すように、蓋７をシリンダー１１に結合して内部を密閉させるが、蓋７は、シリンダー１１の外周面に沿って下降し段差部１６の断面に着座しながら、段差部１６の一側に形成された貫通穴１５に設置されたボタン部４１の固定溝４５にはめ込まれることでシリンダー１１に結合される。蓋７がボタン部４１の固定溝４５にはめ込まれると、ボタン部４１は貫通穴１５から水平運動できない固定された状態、すなわち、ロック構造となるので、外部の圧力がプッシュボタン４に加えられても、ボタン部４１及び稼動部４６とこれに連動する作動部材６，６ａが作動しなくなり、リップグロス液９が噴出部材２から外部に漏れるのを防止可能になる。
【００６２】
また、リップグロス液９が噴出される噴出部材２は、その上面２４の形態を、凸状の円形にしても良く、一般の固形リップスチックの形態と同様に傾斜面にしても良く、中央部に向かって先細になる形態にしても良い。
【００６３】
好ましくは、図６に示すように、噴出部材２の上面２４に高吸収性のスポンジなどの多孔性吸収部材８を結合させることによって、噴出部材２から排出されるリップグロス液９が吸収部材８に吸収され、唇への触れ心地を良くし、かつ、より容易にリップグロス液９が唇に塗られるようにする。
【００６４】
なお、シリンダー１１及び蓋７は、固形のリップスチックが収容されるリップスチック容器とその大きさ及び形態に似ていて内部に広い空間が形成され、よって、シリンダー１１の内部には略３．０ｍｌ程度のリップグロス液９が収容可能になる。
【００６５】
図７は、本発明による化粧品容器の第２実施例を示す分解斜視図である。本発明の第２実施例による化粧品容器は、噴出部材２、ピストン３、プッシュボタン４ａ、作動部材６ａ、下部キャップ５ａを収納する容器ボディー１と、リップグロス液９を収容するシリンダー１１とが結合されてなる。
ここで、容器ボディー１、蓋７、シリンダー１１、噴出部材２、ピストン３は、上述の本発明の第１実施例と同じ形態を有するので、その説明は省かれる。
【００６６】
プッシュボタン４ａは、外部の力を作動部材６ａに伝達してピストン３を上昇させるための手段であって、シリンダー１１の貫通穴１５を通って外部に突出したボタン部４１ａと、ボタン部４１ａの一端から延びて容器ボディー１内部に設置され、後述される作動部材６ａを作動させる移動部４６ａと、からなる。
【００６７】
ボタン部４１ａは、シリンダー１１の貫通穴１５を通って容器ボディー１の外側に突出した押し部４２ａと、押し部４２ａの下端からシリンダー１１の内部に向かって水平延在する連結部４３ａと、連結部４３ａの末端から上方に垂直延在する結合部（図示せず）と、からなり、この結合部が移動部４６ａに連結された形態となる。ここで、押し部４２ａ及び結合部は、容易に貫通穴１５に挿入または移動可能なように貫通穴１５よりも小さい大きさに形成される。
【００６８】
移動部４６ａは、その横断面が“⊃”状に形成され、両側壁４７ａには後述される作動部材６ａのカム７０ａを作動させるガイドレール４８ａが形成され、両側壁４７ａの先端面には、プッシュボタン４ａに弾性力を与える弾性部材９０ａが結合されるための結合溝４９ａが形成される。この弾性部材９０ａによって、プッシュボタン４ａは外部の力によって水平移動してから元に戻るようになる。そして、ガイドレール４８ａは、プッシュボタン４ａの移動によって作動部材６ａのカム７０ａが位置移動するように所定の水平長さを有し、また、一端Ｓが他端Ｅよりも低く形成される。
【００６９】
作動部材６ａは、プッシュボタン４ａの動作によってピストン３を上昇させるための手段であって、プッシュボタン４ａに結合されて位置移動するカム７０ａと、カム７０ａの作動によって垂直上昇しピストン３を上昇させるスクリューバー６０ａと、スクリューバー６０ａの荷重を支える支持部材８０ａと、プッシュボタン４ａに弾性力を与える弾性部材９０ａと、からなる。
【００７０】
スクリューバー６０ａは、カム７０ａの内部に挿入されカム７０ａの作動によって上昇運動すもので、四角の棒状に形成され、四面のうち一面には長さ全体にわたって多数の歯６１ａが所定のピッチで形成され、この一面を除く残り３面のうち対向する両側面には、垂直方向にガイド突起６２ａがそれぞれ形成されている。そして、歯６１ａは、一方向にのみ傾斜面を有する直角三角形の形をしている。
【００７１】
カム７０ａは、プッシュボタン４ａ及びスクリューバー６０ａと結合され、プッシュボタン４ａの水平運動によってスクリューバー６０ａを上昇させるもので、スクリューバー６０ａが内部に挿入されるように所定大きさの中央穴７４ａを有する管状になっている。カム７０ａの外周面のうち対向する両側壁には、プッシュボタン４ａのガイドレール４８ａに結合される結合突起７７ａが形成され、結合突起７７ａの形成されたカム７０ａの内周面の両側壁には、スクリューバー６０ａのガイド突起６２ａがはめ込まれるガイド溝７８ａがそれぞれ形成され、他の内周面の一面にはスクリューバー６０ａがカム７０ａの中央穴７４ａに結合されたときにスクリューバー６０ａの歯６１ａに接するように弾性爪７９ａが突出形成され、これによって、スクリューバー６０ａとラチェット方式で結合されることになる。
【００７２】
支持部材８０ａは、後述される下部キャップ５ａの円柱５６ａに着座してプッシュボタン４ａ、カム７０ａ及びスクリューバー６０ａの歯６１ａを支えるためのもので、容器ボディー１の内周面と同一直径を有し、プッシュボタン４ａ及びカム７０ａの下部を支持するための上面８３ａを有し、下部は開放形成され、上面８３ａには、スクリューバー６０ａが挿入される中央穴８４ａが形成されており、支持部材８０ａの下端部から支持部材８０ａの内側方向に突出してスクリューバー６０ａの歯６１ａを支えるための支持爪８６ａが形成され、よって、スクリューバー６０ａの歯６１ａとラチェット方式で結合される。また、上面８３ａの所定の位置には、弾性部材９０ａが内部にはめ込まれる連結穴８５ａが形成されている。
【００７３】
弾性部材９０ａは、プッシュボタン４ａに弾性力を与えるための手段であって、下部キャップ５ａに形成された固定溝５９ａに下端が固定され、プッシュボタン４ａの移動部４６ａに形成された連結溝４９ａに上端がそれぞれはめ込まれて固定された状態となる。
下部キャップ５ａは、下部に開放穴１７が形成された容器ボディー１を密閉させるための底面５１ａと、底面５１ａが前記開放穴１７を介して容器ボディー１に結合されるように上方に延在する円柱５６ａとからなり、円柱５６ａの内側面から所定間隔離れて底面５１ａから突出した突起５８ａによって、弾性部材９０ａの下部がはめ込まれるための固定溝５９ａが形成されている。
【００７４】
要するに、本発明の第２実施例による化粧品容器において、シリンダー１１の上部に噴出部材２が結合されており、シリンダー１１の内部には、スクリューバー６０ａが固定されたピストン３が設置されている。また、シリンダー１１の貫通穴１５を基準にして内部にはプッシュボタン４ａの移動部４６ａが、外部にはボタン４１ａが容器ボディー１に設置されている。移動部４６ａのガイドレール４８ａには、作動部材６ａのカム７０ａに形成された結合突起７７ａがはめ込まれて結合され、カム７０ａの下部には支持部材８０ａが下部キャップ５ａの円柱５６ａに着座して組み立てられている。
【００７５】
ここで、スクリューバー６０ａは、カム７０ａの中央穴７４ａ及び支持部材８０ａの中央穴８４ａに挿入され、支持部材８０ａに形成された支持爪８６ａとラチェット方式で結合される。
【００７６】
また、下部キャップ５ａの固定溝５９ａに下端が固定された弾性部材９０ａは、支持部材８０ａの連結穴８５ａを通って上端が上部に突出し移動部４６ａの結合溝４９ａにそれぞれ結合される。このときに、スクリューバー６０ａの歯６１ａは、カム７０ａの弾性爪７９ａに接触している状態であり、カム７０ａの下部には支持部材８０ａが設置され、支持部材８０ａの中央穴８４ａにスクリューバー６０ａが挿入される。また、カム７０ａのガイド溝７８ａにスクリューバー６０ａのガイド突起６２ａがはめ込まれて結合された構造を有するので、スクリューバー６０ａは安定して垂直上昇できる。
【００７７】
以下、上記のような構造を有する本発明の第２実施例による化粧品容器の作動原理について説明する。ここで、化粧品容器のシリンダー１１の内部にリップグロス液９が収容されている状態である。
【００７８】
ちなみに、下記の説明において、本発明による化粧品容器のプッシュボタン４ａを加圧する前にカム７０ａの弾性爪７９ａが接触しているスクリューバー６０ａの歯６１ａをＣとし、化粧品容器のプッシュボタン４ａの加圧力を除去した後にカム７０ａの弾性爪７９ａが接触する歯６１ａを‘Ｄ’とする。また、化粧品容器のプッシュボタン４ａを加圧する前に支持部材８０ａの支持爪８６ａが接触しているスクリューバー６０ａの歯６１ａを‘Ｍ’とし、化粧品容器のプッシュボタン４ａの加圧力を除去した後に支持部材８０ａの支持爪８６ａが接触するスクリューバー６０ａの歯６１ａを‘Ｎ’とする。
【００７９】
図８は、本発明の第２実施例による化粧品容器に外部の力が加えられていない状態を示す図であり、プッシュボタン４ａのボタン部４１ａは、貫通穴１５からシリンダー１１の外側に突出している状態であり、プッシュボタン４ａの移動部４６ａのガイドレール４８ａに結合された作動部材６ａのカム７０ａの結合突起７７ａは、ガイドレール４８ａの一端Ｓに位置している状態であり、カム７０ａの弾性爪７９ａは、スクリューバー６０ａの歯６１ａ（Ｃ）に噛み合っている状態である。また、カム７０ａの下部に位置している支持部材８０ａの支持爪８６ａは、スクリューバー６０ａの歯６１ａ（Ｍ）に噛み合っている状態である。
【００８０】
図９は、本発明の第２実施例による化粧品容器に外部の力が加えられた状態を示す図であり、まず、使用者が片手で容器ボディー１を把持した状態でシリンダー１１の一側に突出したプッシュボタン４ａのボタン部４１ａを押すと、ボタン部４１ａは加圧力方向に水平移動し、これと同時に、ボタン部４１ａと一体に形成されて容器ボディー１の内部に配置されている移動部４６ａも、ボタン部４１ａの変位分だけ、移動部４６ａに固定されている弾性部材９０ａを押しながら水平移動する。
【００８１】
このように移動部４６ａが水平移動すると、カム７０ａの結合突起７７ａはガイドレール４８ａの一端Ｓから他端Ｅに位置移動する。この際、ガイドレール４８ａの一端Ｓは、他端Ｅよりも低く形成されているので、カム７０ａの位置がガイドレール４８ａの他端Ｅに変更されると、カム７０ａは、ガイドレール４８ａの一端Ｓと他端Ｅの高さ差だけ垂直上昇し、カム７０ａの弾性爪７９ａはスクリューバー６０ａの歯６１ａ（Ｃ）を共に押し上げてスクリューバー６０ａを垂直上昇させる。このようにスクリューバー６０ａが垂直上昇すると、スクリューバー６０ａの歯６１ａ（Ｍ）を支持していた支持部材８０ａの支持爪８６ａは歯６１ａ（Ｎ）と接触し、この状態でスクリューバー６０ａを支持するようになる。
【００８２】
図１０に示すように、プッシュボタン４ａへの加圧力が除去されると、ボタン部４１ａは弾性部材９０ａの弾性力によって元の位置に戻り、カム７０ａもガイドレール４８ａの一端Ｓに移動するが、このとき、支持部材８０ａの支持爪８６ａは、図９の作動によってスクリューバー６０ａの歯６１ａ（Ｎ）と接触してスクリューバー６０ａを支持している状態にあるので、カム７０ａの弾性爪７９ａは、歯６１ａの傾斜面をスライドしてスクリューバー６０ａの歯６１ａ（Ｄ）にかみ合った状態となる。また、カム７０ａの弾性爪７９ａは弾性力を有するので、スクリューバー６０ａの歯６１ａ（Ｄ）へより円滑に移動可能になる。
【００８３】
すなわち、プッシュボタン４ａに加えられていた圧力が除去されると、カム７０ａの弾性爪７９ａがスクリューバー６０ａの歯６１ａ（Ｃ）から歯６１ａ（Ｄ）に位置移動し、支持部材８０ａの支持爪８６ａもスクリューバー６０ａの歯６１ａ（Ｍ）から歯６１ａ（Ｎ）に位置移動し、この状態でスクリューバー６０ａの下部を支持するようになる。
しだかって、スクリューバー６０ａが上昇すると、スクリューバー６０ａと結合してシリンダー１１の内部に設置されているピストン３も共に上昇し、リップグロス液９を加圧するようになり、これによって、リップグロス液９は、シリンダー１１の上部に設置された噴出部材２の噴出穴２５から外部に排出される。
【００８４】
また、本発明の第２実施例による化粧品容器のプッシュボタン４ａのボタン部４１ａと蓋７も、第１実施例による化粧品容器のそれらと同一の結合構造を有するので、上記化粧品容器を使用しないときに蓋７を容器ボディー１に組み立てると、蓋７がボタン部４１ａの固定溝４５ａに挿入されプッシュボタン４ａを使用できなくし、これでロック機能が実現される。
【図面の簡単な説明】
【００８５】
【図１】本発明に係る化粧品容器の第１実施例を示す斜視図である。
【図２】図１示す化粧品容器の分解斜視図である。
【図３】第１実施例の作動状態を示す断面図である。
【図４】第１実施例の作動状態を示す断面図である。
【図５】本発明の化粧品容器に蓋が結合された状態を示す断面図である。
【図６】図１に吸収部材がさらに備えられた様子を示す斜視図である。
【図７】本発明に係る化粧品容器の第２実施例を示す分解斜視図である。
【図８】第２実施例の作動状態を示す断面図である。
【図９】第２実施例の作動状態を示す断面図である。
【図１０】第２実施例の作動状態を示す断面図である。
【図１１】従来の化粧品容器を示す斜視図である。
【図１２】従来の化粧品容器を示す斜視図である。
【符号の説明】
【００８６】
１  容器ボディー
２  噴出部材
３  ピストン
４  プッシュボタン
５  下部キャップ
６  作動部材
７  蓋
８  吸水部材
９  リップグロス液
１１  シリンダー
６０  スクリューバー
７０  ナットプレート
８０  弾支リング
９０  弾性部材
【図１】
2007511272.tif 000003
【図２】
2007511272.tif 000004
【図３】
2007511272.tif 000005
【図４】
2007511272.tif 000006
【図５】
2007511272.tif 000007
【図６】
2007511272.tif 000008
【図７】
2007511272.tif 000009
【図８】
2007511272.tif 000010
【図９】
2007511272.tif 000011
【図１０】
2007511272.tif 000012
【図１１】
2007511272.tif 000013
【図１２】
2007511272.tif 000014
【国際調査報告】
2007511272.tif 000015